(57)【要約】【課題】  簡単な構成で手洗いボウルをキャビネットに位置決めして正確な取付けができる。【解決手段】  キャビネット７を壁面９に沿って床１０に設置する。下部に被位置決め部１１を有し上部に位置決め用被係止部１２を備えたバックハンガー１３を、被位置決め部１１を位置決め部８に対して位置決めした状態で壁面９に固着する。バックハンガー１３の位置決め用被係止部１２に手洗いボウル３の位置決め用係止部５を係止した状態で、手洗いボウル３の位置合わせ部２をキャビネット７の被位置合わせ部１４に位置合わせする。【選択図】        図１
2010104440.tif 000002
【特許請求の範囲】
【請求項１】
手洗いボウルにキャビネットへの位置合わせ部を設けると共に、該手洗いボウルの後端部に背面側に位置決め用係止部を有する水切り縦壁を上方に向けて突設し、上端部に被位置合わせ部を有するキャビネットの後部上端に位置決め部を設け、キャビネットを壁面に沿って床に設置し、下部に被位置決め部を有し上部に位置決め用被係止部を備えたバックハンガーを、被位置決め部を位置決め部に対して位置決めした状態で壁面に固着し、上記バックハンガーの位置決め用被係止部に手洗いボウルの位置決め用係止部を係止した状態で、手洗いボウルの位置合わせ部をキャビネットの被位置合わせ部に位置合わせして成ることを特徴とする手洗いボウルの取付け構造。
【発明の詳細な説明】
【技術分野】
【０００１】
本発明は、手洗いボウルをキャビネットに取付ける技術に関するものである。
【背景技術】
【０００２】
トイレにおけるキャビネット付きの手洗い器は、手洗いボウルとキャビネットとの２部材から構成してあり、これら２部材を工場で組み立てる方式と、現場で組み立てる方式の２通りがある。
【０００３】
工場で組み立てるものは、治具等を使って前後左右に均等に取付けることができて見栄えが良いが、あらかじめ組み立てるため、全体の大きさが大きくなり、重量も重くなるので、保管、搬送、現場への搬入し難くなるという問題がある。
【０００４】
一方、現場で組み立てる場合、施工むらにより見栄えが悪くなる。そこで、現場で上記２部材を組み立てる際に、施工むらを出来るだけ無くすようにするための提案が特許文献１により提案されている。
【０００５】
上記特許文献１に示された従来例は、図７に示されるようなもので、壁面９にバックハンガー４０と、これとは別体の上ブラッケットをビスで固定し、まず手洗いボウル３をバックハンガー４０に掛止めし、次に、キャビネット７を少し持ち上げながら移動させてキャビネット７の上端縁部を手洗いボウル３の下面外周縁部の内側に形成した段部に嵌め込み、下ブラケット４２を仮に取付けたキャビネット７を上ブラケット４１に掛止めし、ボルト、ナットで固定することでキャビネット７がそのままの高さを保つようにし、次に、キャビネット７から手を離して、キャビネット７に取付けてある下ブラケット４２の下縁、側縁に沿って壁面９に罫書線を付け、その後、下ブラケット４２を外し、上記罫書線に沿って下ブラケット４２を壁面９に取付け、その後、壁面９に固定した下ブラケット４２にキャビネット７の垂下片４３を固定するというようにして現場取付けをおこなうようになっている。
【０００６】
この従来例においては、最初にバックハンガー４０と上ブラケット４１とを壁面９に取付ける際に、バックハンガー４０、上ブラケット４１の壁面９への取付け位置の精度、特に上下別の位置に別々に取付ける両部材の上下間隔の寸法精度が要求され、しかも、施工に当たり、重量の重く且つサイズが大きいキャビネット７を手で少し持ち上げながら移動させてキャビネット７の上端縁部を手洗いボウルの段部に嵌め込むと共にキャビネット７を上ブラケット４１に掛止めするという面倒な作業が必要であり、更に、下ブラケット４２に沿った罫書線を付けて、下ブラケット４２を壁面９に固定する作業と、壁面９に固定した下ブラケット４２にキャビネット７の垂下片４３を固定する作業が必要となり、作業が極めて複雑で、面倒であり、特に、トイレなどの狭い空間で上記作業を行わなければならないため、いっそう作業性が悪いという問題がある。
【特許文献１】特開平１１−３３２７６２号公報
【発明の開示】
【発明が解決しようとする課題】
【０００７】
本発明は上記の従来の問題点に鑑みて発明したものであって、簡単な構成で手洗いボウルをキャビネットに位置決めして正確取付けることができる手洗いボウルの取付け構造を提供することを課題とするものである。
【課題を解決するための手段】
【０００８】
上記課題を解決するために本発明に係る手洗いボウルの取付け構造は、手洗いボウル３にキャビネット７への位置合わせ部２を設けると共に、該手洗いボウル３の後端部に背面側に位置決め用係止部５を有する水切り縦壁４を上方に向けて突設し、上端部に被位置合わせ部１４を有するキャビネット７の後部上端に位置決め部８を設け、キャビネット７を壁面９に沿って床１０に設置し、下部に被位置決め部１１を有し上部に位置決め用被係止部１２を備えたバックハンガー１３を、被位置決め部１１を位置決め部８に対して位置決めした状態で壁面９に固着し、上記バックハンガー１３の位置決め用被係止部１２に手洗いボウル３の位置決め用係止部５を係止した状態で、手洗いボウル３の位置合わせ部２をキャビネット７の被位置合わせ部１４に位置合わせして成ることを特徴とするものである。
【０００９】
上記のように構成したので、キャビネット７を壁面９に沿って床１０に設置し、該キャビネット７に対して、バックハンガー１３を位置決めした状態で壁面９に固定し、このようにキャビネット７に対して位置決めした状態で壁面９に固定したバックハンガー１３に対して、位置決め用被係止部１２と位置決め用係止部５との係止により手洗いボウル３を位置決め係止することで、自動的に手洗いボウル３の位置合わせ部２をキャビネット７の被位置合わせ部１４に対して位置決めすることができる。
【発明の効果】
【００１０】
本発明は、上記のように構成したので、床に設置したキャビネットに対して重量が軽くサイズの小さいバックハンガーを位置決めして壁に固定し、該バックハンガーに対して手洗いボウルを位置決め係止するだけで、手洗いボウルをキャビネットに対して自動的に位置合わせすることができ、この結果、従来のように、重量が重くサイズの大きいキャビネットを持ち上げながら手洗いボウルと位置合わせ作業すると共にキャビネットの取付け作業を行ったり、あるいは、重量が重くサイズの大きい手洗いボウルを手で持ち上げた状態で、キャビネットと位置合わせしながら取付け作業を行ったりするというような必要がなく、簡単且つ確実に手洗いボウルをキャビネットに位置合わせして取付けることができる。
【発明を実施するための最良の形態】
【００１１】
以下、本発明を添付図面に示す実施形態に基いて説明する。
【００１２】
キャビネット７はボックス形状をしていて上端面部分（側板や上横桟の上端面部分）が被位置合わせ部１４となっており、また、後部上端に位置決め部８が設けてある。図１に示す実施形態においては、キャビネット７の左右両側板１７の後部上端と、キャビネット７の後上横桟３０に設けたダボ３１又はダボ穴を位置決め部８としてある。
【００１３】
図中１３はバックハンガーであって板材により形成してあり、このバックハンガー１３には下部に被位置決め部１１を設けると共に、上部に位置決め用被係止部１２を設けてある。図１に示す実施形態においては、バックハンガー１３の両側下部に切落部１９を形成し、バックハンガー１３の下端面にダボ穴３２又はダボを設け、これら切落部１９、ダボ穴３２又はダボを被位置決め部１１としてある。また、バックハンガー１３の上端縁部に下に行くほど後方となる傾斜面２０を設け、バックハンガー１３の上部及び上記傾斜面２０とで位置決め用被係止部１２が構成してある。
【００１４】
手洗いボウル３は、ボウル部１を有し、下面部に位置合わせ部２を有している。また、手洗いボウル３の後端部に上方に突出する水切り縦壁４を突設してある。更に、手洗いボウル３の後端面には位置決め用係止部５が設けてある。添付図面に示す実施形態では、図２に示すように、水切り縦壁４の後面の左右両端縁及び上縁にそれぞれ後方に向けて突出する突条２３を設け、該突条２３に囲まれた部分がバックガード嵌め込み凹部２４となり、また、上の突条２３の下面を図６に示すように逆レ字状に凹ませて係止溝２１が設け、この係止溝２１とバックガード嵌め込み凹部２４とで位置決め用係止部５を構成してある。また、手洗いボウル３の後端部には固定部２２が設けてある。
【００１５】
上記のような構成のキャビネット７、バックハンガー１３、手洗いボウル３を用いてこれらの部材を組み合わせることで、トイレにおけるキャビネット付きの手洗い器を現場で組み立てるものである。
【００１６】
組み立てに当たっては、まず、図３のように、キャビネット７を壁面９に沿って床１０に設置する。次に、図４（ａ）のように、バックハンガー１３を、被位置決め部１１を位置決め部８に嵌め込んで（実施形態では切落部１９を側板１７の後部上端に嵌め込むと共にダボ穴３２にダボ３１を嵌め込んで）位置決めし、このように被位置決め部１１を位置決め部８に対して位置決めした状態で、板材よりなるバックハンガー１３を壁面９に対して釘、木ねじ等の固着具２５により固着する（図４（ｂ）参照）。これによりバックハンガー１３がキャビネット７に対して位置決めした状態で壁面９に固定されることになる。
【００１７】
この作業はサイズが小さく軽いバックハンガー１３を手に持って位置決め作業、固定作業をするので、位置決め作業、固定作業が容易に行える。
【００１８】
次に、手洗いボウル３を手で持ち上げて図５（ａ）→（ｂ）のようにして、縦壁４を壁面９に沿うようにしてバックガード嵌め込み凹部２４をバックハンガー１３に嵌め込むと共に、位置決め用係止部５をバックハンガー１３に設けた位置決め用被係止部１２に上から引掛け係止することで、左右方向、上下方向の位置決めをして係止する。本発明においては、このように手洗いボウル３の位置決め用係止部５をバックハンガー１２の位置決め用被係止部１２に位置決め係止して嵌め込むことで、手洗いボウル３の位置合わせ部２がキャビネット７の被位置合わせ部１４に自動的に位置合わせされるように各部材相互の寸法関係を設定してある。
【００１９】
したがって、手洗いボウル３を手で持ち上げて縦壁４を壁面９に沿うようにして位置決め用係止部５をバックハンガー１３に設けた位置決め用被係止部１２に上から引掛け係止するだけで、手洗いボウル３をキャビネット７に対して簡単且つ正確に位置合わせすることができる。このように手洗いボウル３をキャビネット７に対して簡単且つ正確に位置合わせした状態で、手洗いボウル３の固定部２２を壁面９に対して釘や木ねじのような固着具２５により固着する。
【００２０】
ここで、重量が重く且つサイズが大きい、キャビネット７と手洗いボウル３との位置合わせをしながら手洗いボウル３を壁面９に取付ける作業を行うに当たり、直接手洗いボウル３をキャビネット７に位置合わせ作業をしながら壁面９に固定する作業を行おうとすると、手洗いボウル３の位置合わせ部２とキャビネット７の被位置合わせ部１４とは位置合わせ部分の前後方向、左右方向の長さが長くて、位置合わせ作業、固定作業を同時に行うのが難しいが、上記のように、床１０に設置したキャビネット７に対して重量が軽くサイズの小さいバックハンガー１３を位置決めして壁面９に固定し、該バックハンガー１０に対して手洗いボウル３を位置決め係止するだけで、簡単且つ正確に位置合わして壁面９に固定する作業ができ、特に、トイレ室のように狭い空間に設置する場合、狭い空間での作業が簡単且つ正確に行え、見栄えが良い仕上がりとなる。
【００２１】
なお、図示を省略しているが、手洗いボウル３又は壁面９の手洗いボウル３のやや上方位置には給水装置が取付けられる。
【図面の簡単な説明】
【００２２】
【図１】本発明におけるキャビネット付きの手洗い器の分解斜視図である。
【図２】同上に用いる手洗いボウルの背面側から見た斜視図である。
【図３】同上の現場における組み立て施工順序を示す説明図である。
【図４】（ａ）（ｂ）は同上の現場における組み立て施工順序を示す説明図である。
【図５】（ａ）（ｂ）は同上の現場における組み立て施工順序を示す説明図である。
【図６】同上の図５（ｂ）のＸ−Ｘ線断面図である。
【図７】従来例を示す分解斜視図である。
【符号の説明】
【００２３】
１  ボウル部
２  位置合わせ部
３  手洗いボウル
４  水切り縦壁
５  位置決め用係止部
７  キャビネット
８  位置決め部
９  壁面
１０  床
１１  被位置決め部
１２  位置決め用被係止部
１３  バックハンガー
１４  被位置合わせ部
【図１】
2010104440.tif 000003
【図２】
2010104440.tif 000004
【図３】
2010104440.tif 000005
【図４】
2010104440.tif 000006
【図５】
2010104440.tif 000007
【図６】
2010104440.tif 000008
【図７】
2010104440.tif 000009